(57)【要約】      （修正有）【課題】熱交換器を通過する空気の風速を均一にすることができる調湿装置を提供する。【解決手段】空気の水分を吸着する吸着剤が担持された熱交換器３１、３２によって室外空気及び室内空気の一方を除湿し他方を加湿した後、当該室外空気を室内に供給し当該室内空気を室外に排出する調湿装置。前記熱交換器３１、３２は垂直面に対し傾斜して配置されており、前記熱交換器３１、３２を通過する空気の風速分布を均一にする均一化手段が設けられている。【選択図】図７
2014119180.tif 000002
【特許請求の範囲】
【請求項１】
空気の水分を吸着する吸着剤が担持された熱交換器（３１、３２）によって室外空気及び室内空気の一方を除湿し他方を加湿した後、当該室外空気を室内に供給し当該室内空気を室外に排出する調湿装置（１０）であって、
前記熱交換器（３１、３２）は垂直面に対し傾斜して配置されており、
前記熱交換器（３１、３２）を通過する空気の風速分布を均一にする均一化手段が設けられていることを特徴とする調湿装置（１０）。
【請求項２】
前記均一化手段が、熱交換器（３１、３２）に供給される空気流を切り替えるダンパ（４１）が取り付けられ且つ当該熱交換器（３１、３２）の傾斜と同じ向きに傾斜した区画壁（６３ａ）からなる請求項１に記載の調湿装置（１０）。
【請求項３】
前記熱交換器（３１、３２）の水平面に対する傾斜角をθとすると、前記区画壁（６３ａ）の水平面に対する傾斜角αは、α＝（θ＋９０°）／２である、請求項２に記載の調湿装置（１０）。
【請求項４】
前記熱交換器（３１、３２）は上下２段に分かれた分割型熱交換器であり、
前記ダンパが取り付けられる区画壁の開口部の中心を通る線分であって当該区画壁と直交する中心線が、前記分割型熱交換器の上部熱交換器の上下方向の略中心を通るように、前記区画壁が傾斜されている請求項２に記載の調湿装置（１０）。
【請求項５】
前記均一化手段が、前記熱交換器（３１、３２）が配設された熱交換器室（５７，５８）内に吹き出される空気流の向きを変える邪魔板（９１）からなる、請求項１に記載の調湿装置（１０）。
【請求項６】
前記熱交換器（３１、３２）の下方にドレンパン（９０）が配設されており、
前記邪魔板（９１）が、前記ドレンパン（９０）の側壁（９０ａ）の上端に設けられており、
前記邪魔板（９１）は、当該邪魔板（９１）の上縁（９１ａ）が熱交換器（３１、３２）に近づくように傾斜している、請求項５に記載の調湿装置（１０）。
【請求項７】
前記熱交換器（３１、３２）の水平面に対する傾斜角をθとすると、前記邪魔板（９１）の水平面に対する傾斜角βは、６０°−θ≦β≦９０°−θである、請求項６に記載の調湿装置（１０）。
【請求項８】
前記熱交換器（３１、３２）は上下２段に分かれた分割型熱交換器であり、
前記邪魔板は、当該邪魔板の表面を延長した面が前記分割型熱交換器の上部熱交換器の上下方向の略中心を通るように傾斜している、請求項６又は７に記載の調湿装置（１０）。
【請求項９】
前記熱交換器室（５７，５８）を構成する区画壁に取り付けられ且つ当該熱交換器室内に吹き出される空気流が通過するダンパの上下方向中心位置と、前記邪魔板（９１）の上端（９１ａ）の上下方向の位置とが略一致している、請求項５〜８のいずれか一項に記載の調湿装置（１０）。
【発明の詳細な説明】
【技術分野】
【０００１】
本発明は調湿装置に関する。さらに詳しくは、熱交換器が垂直面に対し傾斜して配置された調湿装置に関する。
【背景技術】
【０００２】
下記特許文献１には、空気の水分を吸着する吸着剤が担持された熱交換器によって室外空気及び室内空気の一方を除湿し他方を加湿した後、当該室外空気を室内に供給し当該室内空気を室外に排出する調湿装置が開示されている。
【０００３】
具体的には、図１１に示されるように、直方体形状のケーシング１１１の一側面１２１には、室外空気を取り入れるための外気取入口１５１と、室内空気を取り入れるための内気取入口１５３とが形成され、その近傍にはエアフィルタ１７１が設けられている。また、前記一側面１２１の両側に隣接する他の２側面１２２，１２３には、当該室外空気を室内へ供給するための給気吹出口１５４と、当該室内空気を室外へ排出するための排気吹出口１５２とがそれぞれ形成されている。
【０００４】
ケーシングの前記一側面１２１に対向する他側面１２４の近傍には、２つのファン１３４，１３５が配置されており、それぞれの吐出口が給気吹出口１５４と排気吹出口１５２に接続されている。この２つのファン１３４，１３５の作動によって、ケーシング１１１内には、外気取入口１５１及び内気取入口１５３から取り入れた空気を給気吹出口１５４及び排気吹出口１５２から吹き出す空気の流れが生成される。また、２つのファン１３４，１３５の間には圧縮機１２７や膨張弁等が配置されている。調湿装置の制御基板等が設けられた電装品ユニット（電装品箱）は、通常、ファン１３４，１３５や圧縮機１２７の近傍にあるケーシング１１１の他側面１２４の外側に取り付けられている。
【０００５】
２台の熱交換器１３１、１３２は、区画壁１４１、１４２、１４３、１４４により区画された熱交換器室１４５、１４６にそれぞれ配設されている。そして、室内空気及び室外空気の流れ方向を基準として上流側の区画壁１４１と下流側の区画壁１４３には、開閉動作によりケーシング１１１内の空気の流れを変更させるダンパ１６０、１６１が取り付けられている。熱交換器１３１、１３２は、熱交換器室１４５．１４６内において立設されており、空気の通過する面が熱交換器室１４５、１４６の床面に対し略垂直にされている。
【０００６】
図１１に示される構成の調湿装置において、熱交換面積を大きくして吸脱着性能を向上させる方法として、熱交換器１４５、１４６の高さを大きくすることが考えられるが、そうすると調湿装置全体が大型化するという問題がある。
【０００７】
そこで本出願人は、先に、熱交換器を垂直面に対し傾斜させた調湿装置を提案している（特願２０１２−１９３９９５。以下、「先願発明」ともいう）。
【０００８】
この先願発明では、図１２に示されるように、熱交換器室２４５内において、熱交換器２３１が垂直面Ｖに対し傾斜するように配置されている。より詳細には、熱交換器２３１において空気が通過する面２３１ａが、熱交換器室２４５の床面２４５ａに垂直な垂直面Ｖに対し傾斜するように配置されている。
【０００９】
図１２は、ファンの吐出口２６０から吹き出された空気を開状態のダンパ２６１を介して熱交換器室２４５内に導入し、熱交換後の空気を同じく開状態のダンパ２６２を介して給気吹出口２６３に供給する場合を示している。
【先行技術文献】
【特許文献】
【００１０】
【特許文献１】特開２００９−１０９１２０号公報
【発明の概要】
【発明が解決しようとする課題】
【００１１】
先願発明に係る調湿装置では、熱交換器が垂直面に対し傾斜して配置されているので、調湿装置を高くすることなく熱交換面積を大きくすることができるが、熱交換器２３１の上端付近とダンパ２６１との距離と、当該熱交換器２３１の下端付近とダンパ２６１との距離との差が大きくなり、その結果、熱交換器２３１の空気通過面２３１ａに吹き付けられる空気の風速が熱交換器２３１の部位によりばらつくことがある。具体的に、図１２に示される場合では、ダンパ２６１から熱交換器室２４５に吹き出される空気は専ら熱交換器２３１の下部付近に向かうため、当該熱交換器２３１の上部、すなわち図１２においてＣで示される部分の風速が他の部分に比べて小さくなってしまう。
【００１２】
熱交換器を通過する空気の風速がばらつくと、当該熱交換器の部位によっては湿分の吸着や脱着が不十分になり、熱交換器の吸脱着効率が低下してしまう。
【００１３】
本発明は、このような事情に鑑みてなされたものであり、前述した先願発明にさらに改良を加え、熱交換器を通過する空気の風速を均一にすることができる調湿装置を提供することを目的としている。
【課題を解決するための手段】
【００１４】
（１）本発明の調湿装置は、空気の水分を吸着する吸着剤が担持された熱交換器によって室外空気及び室内空気の一方を除湿し他方を加湿した後、当該室外空気を室内に供給し当該室内空気を室外に排出する調湿装置であって、
前記熱交換器は垂直面に対し傾斜して配置されており、
前記熱交換器を通過する空気の風速分布を均一にする均一化手段が設けられていることを特徴としている。
【００１５】
本発明の調湿装置では、均一化手段が設けられているので、熱交換器を通過する空気の風速を均一にすることができ、熱交換器において湿分の吸着や脱着が不十分な部分が生じるのを防ぐことができる。その結果、熱交換器の吸脱着効率を向上させることができる。
【００１６】
（２）前記（１）の調湿装置において、前記均一化手段が、熱交換器に供給される空気流を切り替えるダンパが取り付けられ且つ当該熱交換器の傾斜と同じ向きに傾斜した区画壁からなっていてもよい。この場合、ダンパが取り付けられる区画壁が熱交換器と同じ向きに傾斜しているので、熱交換器の空気が通過する面に対して空気を均一な速度で吹き付けることができる。
【００１７】
（３）前記（２）の調湿装置において、前記熱交換器の水平面に対する傾斜角をθとすると、前記区画壁の水平面に対する傾斜角αは、α＝（θ＋９０°）／２であることが好ましい。この場合、区画壁の水平面に対する傾斜角αを、α＝（θ＋９０°）／２とすることで、熱交換器の空気通過面に対して空気をより均一な速度で吹き付けることができる。
【００１８】
（４）前記（２）の調湿装置において、前記熱交換器は上下２段に分かれた分割型熱交換器であり、
前記ダンパが取り付けられる区画壁の開口部の中心を通る線分であって当該区画壁と直交する中心線が、前記分割型熱交換器の上部熱交換器の上下方向の略中心を通るように、前記区画壁が傾斜されていることが好ましい。この場合、空気を熱交換器の中心付近に吹き付けることができるので、熱交換器を通過する空気の風速を均一にすることができる。
【００１９】
（５）前記（１）の調湿装置において、前記均一化手段が、前記熱交換器が配設された熱交換器室内に吹き出される空気流の向きを変える邪魔板からなっていてもよい。この場合、邪魔板によって熱交換器室内に吹き出される空気流の向きを変えることができるので、熱交換器に対して均一に空気を吹き付けることが可能となる。
【００２０】
（６）前記（５）の調湿装置において、前記熱交換器の下方にドレンパンが配設されており、
前記邪魔板が、前記ドレンパンの側壁の上端に設けられており、
前記邪魔板は、当該邪魔板の上縁が熱交換器に近づくように傾斜していることが好ましい。この場合、熱交換器の下方に配設されるドレンパンの側壁を利用して邪魔板が設けられているので、装置の構成を簡略化することができる。
【００２１】
（７）前記（６）の調湿装置において、前記熱交換器の水平面に対する傾斜角をθとすると、前記邪魔板の水平面に対する傾斜角βは、６０°−θ≦β≦９０°−θであることが好ましい。この場合、邪魔板の水平面に対する傾斜角βを、６０°−θ≦β≦９０°−θとすることで、熱交換器の空気通過面に対して空気をより均一な速度で吹き付けることができる。
【００２２】
（８）前記（６）又は（７）の調湿装置において、前記熱交換器は上下２段に分かれた分割型熱交換器であり、
前記邪魔板は、当該邪魔板の表面を延長した面が前記分割型熱交換器の上部熱交換器の上下方向の略中心を通るように傾斜していることが好ましい。この場合、空気を熱交換器の中心付近に吹き付けることができるので、熱交換器を通過する空気の風速を均一にすることができる。
【００２３】
（９）前記（５）〜（８）の調湿装置において、前記熱交換器室を構成する区画壁に取り付けられ且つ当該熱交換器室内に吹き出される空気流が通過するダンパの上下方向中心位置と、前記邪魔板の上端の上下方向の位置とが略一致していることが好ましい。この場合、ダンパから吹き出される空気を効果的に邪魔板にあてて進路変更させることができ、熱交換器の空気通過面に対して空気をより均一な速度で吹き付けることができる。
【発明の効果】
【００２４】
本発明の調湿装置によれば、熱交換器を通過する空気の風速を均一にすることができる。
【図面の簡単な説明】
【００２５】
【図１】本発明の一実施の形態に係る調湿装置の内部の平面説明図である。
【図２】図１におけるＡ−Ａ線矢視方向から見た調湿装置の内部の説明図である。
【図３】図１におけるＢ−Ｂ線矢視方向から見た調湿装置の内部の説明図である。
【図４】調湿装置の冷媒回路を示す配管系統図である。
【図５】調湿装置内の空気の流れを示す平面説明図である。
【図６】調湿装置内の空気の流れを示す平面説明図である。
【図７】調湿装置内の空気流通路と熱交換器室との間の空気の流れを示す説明図である。
【図８】調湿装置内の空気流通路と熱交換器室との間の空気の流れを示す説明図である。
【図９】ファン周辺の構造を拡大して示す断面図である。
【図１０】本発明の調湿装置の他の実施の形態における熱交換器室の断面説明図である。
【図１１】従来技術に係る調湿装置の内部を示す平面説明図である。
【図１２】先願発明に係る調湿装置の熱交換器室の断面説明図である。
【発明を実施するための形態】
【００２６】
以下、添付図面を参照しつつ、本発明の調湿装置の実施の形態を詳細に説明する。
図１は、本発明の一実施の形態に係る調湿装置の内部の平面説明図である。図２は、図１におけるＡ−Ａ線矢視方向から見た調湿装置の内部の説明図である。図３は、図１におけるＢ−Ｂ線矢視方向から見た調湿装置の内部の説明図である。
本実施の形態に係る調湿装置１０は、室内の換気を行いながら除湿又は加湿を行うものであり、ケーシング１１と、冷媒回路１２と、空気流制御機構１３等を備えている。
【００２７】
ケーシング１１は、平面形状が長方形で扁平な直方体の箱形に形成されている。具体的に、ケーシング１１は、底板１８と、天板１９と、４枚の側板（第１〜第４側板）２１〜２４とを備えている。これら底板１８、天板１９、及び側板２１〜２４によって囲まれた空間内に冷媒回路１２の一部や空気流制御機構１３等が収容されている。また、ケーシング１１の一側面（第１側板２１の外面）には、電装品ユニット１５が設けられている。なお、以下の説明においては、ケーシング１１の平面形状（長方形状）における長辺に沿った方向を前後方向とし、短辺に沿った方向を左右方向とする。また、前後方向については、第１側板２１側を前側とし、第４側板２４側を後側とする。
【００２８】
図４は、調湿装置１０の冷媒回路１２を示す配管系統図である。冷媒回路１２は、第１熱交換器３１、四路切換弁（切換機構）２６、圧縮機２７、第２熱交換器３２、及び電動膨張弁（膨張機構）２８を冷媒配管２９によって接続してなり、冷媒を循環させることによって蒸気圧縮式の冷凍サイクルを実行するように構成されている。
【００２９】
圧縮機２７は、その吐出側が四路切換弁２６の第１のポートに接続され、その吸入側が四路切換弁２６の第２のポートに接続されている。第１熱交換器３１の一端は、四路切換弁２６の第３のポートに接続されている。第１熱交換器３１の他端は、電動膨張弁２８に接続されている。第２熱交換器３２の一端は、四路切換弁２６の第４のポートに接続されている。第２熱交換器３２の他端は、電動膨張弁２８に接続されている。
【００３０】
圧縮機２７は、いわゆる全密閉型であり、インバータによって回転数が制御される容量可変型の圧縮機とされている。
第１熱交換器３１及び第２熱交換器３２は、いずれも、伝熱管と多数のフィンとを備えた、いわゆるクロスフィン型のフィン・アンド・チューブ式熱交換器により構成されている。また、第１熱交換器３１及び第２熱交換器３２の外表面には、その概ね全面に亘ってゼオライト等の吸着剤が担持されている。
【００３１】
四路切換弁２６は、第１のポートと第３のポートが連通しかつ第２のポートと第４のポートが連通する状態（図４（ａ）参照）と、第１のポートと第４のポートが連通しかつ第２のポートと第３のポートが連通する状態（図４（ｂ）参照）とに切り換え可能に構成されている。そして、冷媒回路１２は、この四路切換弁２６のポートの連通状態を切り換えることにより、冷媒循環方向を反転させ、第１熱交換器３１が凝縮器として機能し、第２熱交換器３２が蒸発器として機能する第１の冷凍サイクル動作と、第１熱交換器３１が蒸発器として機能し、第２熱交換器３２が凝縮器として機能する第２の冷凍サイクル動作とを行うことができる。
【００３２】
図１〜３に示されるように、空気流制御機構１３は、ケーシング１１内に室外空気及び室内空気を取り込み、それぞれ熱交換器３１，３２を通過させた後にケーシング１１から室内及び室外に吹き出す空気流を生成するものである。具体的に、空気流制御機構１３は、ケーシング１１内に空気を吸い込む第１ファン３４及び第２ファン３５を備えている。
【００３３】
第１ファン３４及び第２ファン３５は、シロッコファンにより構成されている。シロッコファンは、図９に示されるように、モータ３６によって回転する多翼の羽根車３７をファンケーシング３８内に設けたものである。ファンケーシング３８は円筒形に形成され、ファンケーシング３８の両側面には吸込口３８ａが形成され、外周面には吐出口３８ｂが形成されている。また、第１ファン３４及び第２ファン３５は、インバータ制御によって風量を調整可能に構成されている。
【００３４】
また、空気流制御機構１３は、図１〜３に示されるように、第１，第２ファン３４，３５によってケーシング１１内に取り込まれた空気の流通路を制御する複数のダンパ４１〜４８を備えている。このダンパ４１〜４８の具体的な動作については後述する。
【００３５】
図１に示されるように、ケーシング１１の第２側板２２には、室外の空気をケーシング１１内に取り入れるための外気取入口５１と、ケーシング１１から室外に空気を排出するための排気吹出口５２とが形成されている。排気吹出口５２は、ケーシング１１の前後方向の略中央部に形成され、外気取入口５１は、ケーシング１１の前部側に形成されている。そして、外気取入口５１の近傍には、外気取入用の第１ファン３４が配置されている。外気取入口５１と排気吹出口５２とには、それぞれダクトＤ１，Ｄ２の一端が接続され、これらのダクトＤ１，Ｄ２の他端側は室外（屋外）に接続されている。
【００３６】
ケーシング１１の第３側板２３には、室内の空気をケーシング１１内に取り入れるための内気取入口５３と、ケーシング１１から室内に空気を供給するための給気吹出口５４とが形成されている。給気吹出口５４は、ケーシング１１の前後方向の略中央部に形成され、内気取入口５３は、ケーシング１１の前部側に形成されている。そして、内気取入口５３の近傍には、内気取入用の第２ファン３５が配置されている。内気取入口５３と給気吹出口５４とには、それぞれダクトＤ３，Ｄ４の一端が接続され、これらのダクトＤ３，Ｄ４の他端側は室内に接続されている。
【００３７】
以上の構成により、室外と室内とは、ダクトＤ１〜Ｄ４及びケーシング１１を介して相互に連通されている。
なお、以下の説明においては、図１に示されるように、外気取入口５１からケーシング１１内に取り入れられる空気をＯＡ、内気取入口５３からケーシング１１内に取り入れられる空気をＲＡ、排気吹出口５２からケーシング１１外へ排出される空気をＥＡ、給気吹出口５４からケーシング１１外へ排出される空気をＳＡと表記することがある。
【００３８】
図１に示されるように、ケーシング１１の内部には、第１ファン３４及び第２ファン３５が配置される送風室５６ａ，５６ｂと、その後方の空間とを区画する第１区画壁６１が設けられている。また送風室５６ａ，５６ｂは、第２区画壁６２によって、外気取入用の第１ファン３４が配置される第１送風室５６ａと、内気取入用の第２ファン３５が配置される第２送風室５６ｂとに区画されている。第２送風室５６ｂは第１送風室５６ａよりも左右方向に広く形成されている。
【００３９】
第１ファン３４と第２ファン３５との間における第２送風室５６ｂ内のスペースＳには、冷媒回路１２を構成する電動膨張弁２８や四路切換弁２６等（図４参照）が配置されている。このスペースＳから第１側板２１を貫通して引き出された冷媒配管２９には、ケーシング１１の外部に設置された圧縮機２７が接続されている。ただし、圧縮機２７はケーシング１１内のスペースＳに配置されていてもよい。
【００４０】
ケーシング１１内における第１，第２送風室５６ａ，５６ｂの後方には、熱交換器室５７，５８と空気流通路５９，６０とが形成されている。具体的に、第１区画壁６１の後方には、前後方向に沿って延びる第３区画壁６３と第４区画壁６４とが左右方向に並べて設けられている。第３区画壁６３及び第４区画壁６４の前端は第１区画壁６１に接続され、後端は第４側板２４に接続されている。第３区画壁６３と第４区画壁６４との間には、第１，第２熱交換器３１，３２が配置される熱交換器室５７，５８が形成されている。第３区画壁６３と第２側板２２との間、及び、第４区画壁６４と第３側板２３との間には、それぞれ第１空気流通路５９及び第２空気流通路６０が形成されている。
【００４１】
熱交換器室５７，５８は、第５区画壁６５によって前後に区画されている。そして、前側の第１熱交換器室５７には第１熱交換器３１が配置され、後側の第２熱交換器室５８には第２熱交換器３２が配置されている。第１熱交換器３１及び第２熱交換器３２の下方には、それぞれドレンパン９０が配設されている。本実施の形態では、第１熱交換器３１及び第２熱交換器３２は、図７及び図８に示されるように、それぞれ第１空気流通路５９側が第２空気流通路６０側よりも高くなるように傾斜した姿勢で配置されている。そのため、第１及び第２熱交換器室５７，５８内の空気流は、第１及び第２熱交換器３１，３２を左右方向かつ上下方向に流通するようになっている。このように第１及び第２熱交換器３１，３２を傾斜した姿勢で配置することで、空気の流通面積を拡大し、熱交換効率の向上及び吸着剤による水分の吸着効率の向上を図ることができる。
【００４２】
図２に示されるように、第１空気流通路５９は、第６区画壁６６によって上下２段に区画されている。外気取入口５１の近傍に配置された外気取入用の第１ファン３４は、その吐出口３８ｂが下段側の第１空気流通路５９ｂに接続されている。また、排気吹出口５２は、上段側の第１空気流通路５９ａに連通している。
【００４３】
図３に示されるように、第２空気流通路６０は、第７区画壁６７によって上下２段に区画されている。内気取入口５３の近傍に配置された内気取入用の第２ファン３５は、その吐出口３８ｂが上段側の第２空気流通路６０ａに接続されている。また、給気吹出口５４は、下段側の第２空気流通路６０ｂに連通している。
【００４４】
図１及び図９に示されるように、第１区画壁６１の左右両端部は、左右方向の外側ほど前方に位置するように傾斜している。そして、第１区画壁６１の傾斜部分に第１，第２ファン３４，３５の吐出口３８ｂが接続されている。また、第１，第２ファン３４，３５は、各羽根車３７の回転軸が、第１区画壁６１の傾斜部分と略平行となるように配置されている。したがって、第１，第２ファン３４，３５は、第２側板２２及び第３側板２３に対して傾斜した姿勢で配置されている。
【００４５】
このため、第１，第２ファン３４，３５のファンケーシング３８の側面に形成された吸込口３８ａは、第２側板２２及び第３側板２３から離れて配置され、両者の間には平面視で略三角形状の空気引込空間７０が形成されている。この空気引込空間７０は、吸込口３８ａからファンケーシング３８内へ吸い込まれる前の空気の流動スペースとして機能している。特に、空気引込空間７０は、吸込口３８ａの外周側から吸込口３８ａへ流入する空気（図９に矢印ａで示す）の流動スペースとして有効に機能し、吸込口３８ａへ空気流を円滑に導くために役立っている。したがって、このような空気引込空間７０を形成することによって、外気取入口５１及び内気取入口５３から第１，第２ファン３４，３５の吸込口３８ａへ吸い込まれる空気の圧力損失を効果的に低減し、効率よく室外空気及び室内空気をケーシング１１内に取り入れることができる。
【００４６】
また、外気取入口５１及び内気取入口５３の近傍に第１，第２ファン３４，３５が配置されているので、第１，第２ファン３４，３５の作動音や送風音は、後述するようにケーシング１１内を空気流が通過する間に減衰される。したがって、当該音がケーシング１１外に伝播し、騒音の原因となることを防止することができる。
【００４７】
空気引込空間７０にはエアフィルタ７１が配置されている。このエアフィルタ７１は、ファン３４，３５の側面と略平行に配置されている。したがって、エアフィルタ７１も第２側板２２及び第３側板２３に対して傾斜して配置されている。このようにエアフィルタ７１を傾斜して配置することによって空気の流通面積を拡大することができる。また、ケーシング１１の第１側板２１の一部又は全部は着脱可能に構成されており、第１側板２１の一部又は全部を取り外すことによって、エアフィルタ７１を着脱するための着脱口を形成することが可能となっている。そして、図１に矢印ｂで示すように、エアフィルタ７１を斜め前方へ引き出すことによってケーシング１１からエアフィルタ７１を取り外し、エアフィルタ７１の清掃や交換を行うことができる。
【００４８】
空気引込空間７０には、外気取入口５１や内気取入口５３から取り入れられる空気の温度や湿度を計測するセンサ類７２，７３が設けられている。このセンサ類７２，７３の電気配線は、それぞれ第１、第２送風室５６ａ，５６ｂから第１側板２１に設けられた電装品ユニット１５に引き込まれている。このように外気取入口５１及び内気取入口５３を電装品ユニット１５とともにケーシング１１の前部側に配置することによって、センサ類７２，７３の電気配線を短い距離で電装品ユニット１５に接続することができる。また、電気配線がケーシング１１内の区画壁を貫通することを可及的に少なくし、区画された空間相互で空気漏れが生じるのを防止することができる。
【００４９】
第１側板２１の前面に配置された電装品ユニット１５は、電装品箱内に、調湿装置１０全体の制御基板、圧縮機２７や第１，第２ファン３４，３５の制御基板（インバータ基板）等の電気部品を収容してなる。この電装品ユニット１５の点検や部品交換等を行うため、ケーシング１１の前方にはメンテナンス用の作業スペースが形成される。また、第１，第２ファン３４，３５に対するメンテナンスや冷媒回路１２における膨張弁２８や四路切換弁２６等のメンテナンスも第１側板２１を取り外すことによってケーシング１１の前方の作業スペースにおいて行うことができる。さらに、前述したように、エアフィルタ７１は、ケーシング１１の前方にて着脱されるので、同じ作業スペースを利用してエアフィルタ７１の着脱作業も行うことができる。
【００５０】
すなわち、本実施の形態では、電装品ユニット１５、第１，第２ファン３４，３５、冷媒回路１２の一部２８，２６、及びエアフィルタ７１がケーシング１１の一側部である前部側の領域（第１側板２１の近傍の領域）に集中して配置されているので、これらのメンテナンスのための作業スペースもケーシング１１の前側に集中して形成することができる。その結果、当該作業スペースをケーシング１１の周囲に分散して形成する場合に比べて、作業スペース全体の平面的な面積を可及的に小さくすることができるとともに、調湿装置１０の周囲全体に広くスペースを確保する必要がなくなるので、調湿装置１０の設置場所の制約が少なくなり、調湿装置１０の設置の自由度を高めることができる。
【００５１】
また、外気取入口５１及び排気吹出口５２は、ケーシング１１の第２側板２２に形成され、内気取入口５３及び給気吹出口５４は、ケーシング１１の第３側板２３に形成されている。そのため、第２側板２２及び第３側板２３の周囲にはダクトＤ１〜Ｄ４を配設するためのスペースを確保する必要がある。一方、ケーシング１１の第４側板２４には、開口も形成されず、部品も設けられていないので、第４側板２４の周囲には特にスペースを確保する必要がない。そのため、第４側板２４を建物の壁際等に配置するような調湿装置１０の設置が可能となり、これによっても調湿装置１０の設置場所の制約を少なくし、設置の自由度を高めることができる。
【００５２】
また、第２側板２２に形成された外気取入口５１及び排気吹出口５２には、それぞれ室外へ向けて配設されるダクトＤ１，Ｄ２が接続されている。第３側板２３に形成された内気取入口５３及び給気吹出口５４には、それぞれ室内に向けて配設されるダクトＤ３，Ｄ４が接続されている。したがって、いずれのダクトＤ１〜Ｄ４も、同一の場所へ向けて配設されるものがケーシング１１の同一の側板２２，２３に接続されている。このような構成によって、ダクトの曲げ回数を少なくする等、配設経路を簡素化することができ、ダクトの設置に要するスペースを小さくすることができる。
【００５３】
図２に示されるように、第３区画壁６３には、４つの通気口８１〜８４が前後上下に並べて形成されている。これらの通気口８１〜８４は、それぞれダンパ４１〜４４によって開閉可能に構成されている。
また、図３に示されるように、第４区画壁６４には、４つの通気口８５〜８８が前後上下に並べて形成されている。これらの通気口８５〜８８は、それぞれダンパ４５〜４８によって開閉可能に構成されている。
【００５４】
図２に示されるように、第３区画壁６３に形成された上段側の通気口８３，８４は、上段側の第１空気流通路５９ａに連通している。また、下段側の通気口８１，８２は、下段側の第１空気流通路５９ｂに連通している。
図３に示されるように、第４区画壁６４に形成された上段側の通気口８５，８６は、上段側の第２空気流通路６０ａに連通している。また、下段側の通気口８７，８８は、下段側の第２空気流通路６０ｂに連通している。
【００５５】
また、第３，第４区画壁６３，６４に形成された通気口８１〜８８のうち、前側に配置された４つの通気口８１，８３，８５，８７は、前側の第１熱交換器室５７（図１参照）に連通し、後側に配置された４つの通気口８２，８４，８６，８８は、後側の第２熱交換器室５８（図１参照）に連通している。
【００５６】
次に、ダンパ４１〜４８の具体的な開閉動作とケーシング１１内の空気流について説明する。各ダンパ４１〜４８は、次の開閉パターンに従って開閉動作を行う。
図２に示されるように、第３区画壁６３に設けられたダンパ４１〜４４のうち、上段側の前後のダンパ４３，４４は交互に開閉し（一方が開いたときに他方が閉じ、他方が開いたときに一方が閉じる）、同様に、下段側の前後のダンパ４１，４２も交互に開閉する。また、図３に示されるように、第４区画壁６４に設けられたダンパ４５〜４８のうち、上段側の前後のダンパ４５，４６は交互に開閉し、下段側の前後のダンパ４７，４８も交互に開閉する。
【００５７】
また、第３，第４区画壁６３，６４に設けられた下段側のダンパ４１，４２，４７，４８のうち、前側に配置された２つのダンパ４１，４７が組となって同時に開閉し（一方が開いたときに他方も開き、一方が閉じたときに他方も閉じる）、後側に配置された２つのダンパ４２，４８が組となって同時に開閉する。
同様に、第３，第４区画壁６３，６４に設けられた上段側のダンパ４３，４４，４５，４６のうち、前側に配置された２つのダンパ４３，４５が組となって同時に開閉し、後側に配置された２つのダンパ４４，４６が組となって同時に開閉する。
【００５８】
そして、本実施の形態では、以上のようなダンパ４１〜４８の開閉パターンの組み合わせによって、図５に示される態様と、図６に示される態様とに空気流が切り換えられる。
図５に示される態様は、第１ファン３４によって外気取入口５１から取り入れられた室外空気が第１熱交換器室５７を通過して給気吹出口５４から排出され、第２ファン３５によって内気取入口５３から取り入れられた室内空気が第２熱交換器室５８を通過して排気吹出口５２から排出される態様である。また、図６に示される態様は、第１ファン３４によって外気取入口５１から取り入れられた室外空気が第２熱交換器室５８を通過して給気吹出口５４から排出され、第２ファン３５によって内気取入口５３取り入れられた室内空気が第１熱交換器室５７を通過して排気吹出口５２から排出される態様である。
【００５９】
図７は、図５に示される空気流の態様に対応した、第１，第２空気流通路５９，６０と第１，第２熱交換器室５７，５８との間の空気流れを示す説明図である。なお、図７及び後出する図８において、符号９０は熱交換器３１、３１の下方に配設されたドレンパンを示している。
図７（ａ）に示されるように、第１ファン３４の吐出口３８ｂから下段側の第１空気流通路５９ｂを流れる空気流は、第３区画壁６３の下段前側に形成された通気口８１を介して第１熱交換器室５７に流入する。その後、当該空気流は、第１熱交換器３１を通過し、第４区画壁６４の下段前側に形成された通気口８７を介して下段側の第２空気流通路６０ｂに流入し、給気吹出口５４から室内に排出される。
【００６０】
その際、本実施の形態では、第３区画壁６３のうち前側下部（第６区画壁６６よりも下方の部分）の壁部６３ａが熱交換器３１の傾斜と同じ向きに傾斜している。具体的に、壁部６３ａは、下方に向かうほど熱交換器３１に近づくように傾斜している。この場合、ダンパ４１が取り付けられる壁部６３ａ（第３区画壁６３の一部）が熱交換器３１と同じ向きに傾斜しているので、熱交換器３１の空気が通過する面３１ａに対して空気を均一な速度で吹き付けることができる。本実施の形態では、かかる壁部６３ａが熱交換器を通過する空気の風速を均一にする均一化手段を構成している。
【００６１】
前記壁部６３ａの水平面に対する傾斜角αは、本発明において特に限定されるものではないが、熱交換器３１の水平面に対する傾斜角をθとすると、α＝（θ＋９０°）／２であることが好ましく、こうすることで、熱交換器３１の空気通過面３１ａに対して空気をより均一な速度で吹き付けることができる。
【００６２】
また、熱交換器３１が上下２段に分かれた分割型熱交換器である場合、前記壁部６３ａの中心を通る線分であって当該壁部６３ａと直交する中心線が、前記分割型熱交換器の上部熱交換器の上下方向の略中心を通るように壁部６３ａが傾斜していることが好ましい。これにより、空気を熱交換器の中心付近に吹き付けることができるので、熱交換器を通過する空気の風速を均一にすることができる。
【００６３】
同時に、図７（ｂ）に示されるように、第２ファン３５の吐出口３８ｂから上段側の第２空気流通路６０ａを流れる空気流は、第４区画壁６４の上段後側に形成された通気口８６を介して第２熱交換器室５８に流入する。その後、当該空気流は、第２熱交換器３２を通過し、第３区画壁６３の上段後側に形成された通気口８４を介して上段側の第１空気流通路５９ａに流入し、排気吹出口５２から室外に排出される。
【００６４】
この場合においても、第４区画壁６４のうち後側上部（第７区画壁６７よりも上方の部分）の壁部６４ａが熱交換器３２の傾斜と同じ向きに傾斜しているので、図７の（ａ）の場合と同じく、熱交換器３２の空気が通過する面３２ａに対して空気を均一な速度で吹き付けることができる。
【００６５】
図８は、図６に示される空気流の態様に対応した、第１，第２空気流通路５９，６０と第１，第２熱交換器室５７，５８との間の空気の流れを示す説明図である。
図８（ａ）に示されるように、第１ファン３４の吐出口３８ｂから下段側の第１空気流通路５９ｂを流れる空気流は、第３区画壁６３の下段後側に形成された通気口８２を介して第２熱交換器室５８に流入する。その後、当該空気流は、第２熱交換器３２を通過し、第４区画壁６４の下段後側に形成された通気口８８を介して下段側の第２空気流通路６０ｂに流入し、給気吹出口５４から室内に排出される。
【００６６】
この場合においても、第３区画壁６３のうち後側下部（第６区画壁６６よりも下方の部分）の壁部６３ｂが熱交換器３２の傾斜と同じ向きに傾斜しているので、図７の（ａ）の場合と同じく、熱交換器３２の空気が通過する面３２ａに対して空気を均一な速度で吹き付けることができる。
【００６７】
同時に、図８（ｂ）に示されるように、第２ファン３５の吐出口３８ｂから上段側の第２空気流通路６０ａを流れる空気流は、第４区画壁６４の上段前側に形成された通気口８５を介して第１熱交換器室５７に流入する。その後、当該空気流は、第１熱交換器３１を通過し、第３区画壁６３の上段前側に形成された通気口８３を介して上段側の第１空気流通路５９ａに流入し、排気吹出口５２から室外に排出される。
【００６８】
この場合においても、第４区画壁６４のうち前側上部（第７区画壁６７よりも上方の部分）の壁部６４ｂが熱交換器３１の傾斜と同じ向きに傾斜しているので、図７の（ａ）の場合と同じく、熱交換器３１の空気が通過する面３１ａに対して空気を均一な速度で吹き付けることができる。
【００６９】
図５及び図７に示される空気流の態様と図６及び図８に示される空気流の態様とは、図４に示される冷媒循環方向の切換動作（第１及び第２の冷凍サイクル動作）に合わせて所定時間毎（例えば、３分毎）に交互に繰り返して実行される。これによって調湿装置１０は、除湿運転と加湿運転とを行うことが可能となっている。
【００７０】
（除湿運転の説明）
まず、除湿運転について説明する。第１の冷凍サイクル動作は、図４（ａ）に示されるように、圧縮機２７から吐出された冷媒が、第１熱交換器３１で放熱して凝縮し、その後に電動膨張弁２８へ送られて減圧される。減圧された冷媒は、第２熱交換器３２で吸熱して蒸発し、その後に圧縮機２７に吸入されて圧縮され、再び吐出される。したがって、第１の冷凍サイクル動作では、第１熱交換器３１が凝縮器として機能し、第２熱交換器３２が蒸発器として機能する。
【００７１】
このとき、図６及び図８に示されるように、外気取入口５１から取り入れられた室外空気ＯＡは第２熱交換器３２を通過し、熱交換後の空気ＳＡが給気吹出口５４から排出される。また、内気取入口５３から取り入れられた室内空気ＲＡは第１熱交換器３１を通過し、熱交換後の空気ＥＡが排気吹出口５２から排出される。具体的に、凝縮器としての第１熱交換器３１においては、吸着剤に吸着されていた水分が冷媒の熱によって脱離し、室内空気ＲＡに取り込まれる。これにより、第１熱交換器３１の吸着剤が再生されるとともに、室内空気ＲＡが加湿され、加湿後の空気ＥＡが排気吹出口５２から室外に排出される。また、蒸発器としての第２熱交換器３２においては、冷媒の吸熱によって室外空気ＯＡに含まれる水分が吸着剤に吸着（回収）され、室外空気ＯＡが除湿される。除湿後の空気ＳＡは給気吹出口５４から室内に供給される。
【００７２】
第２の冷凍サイクル動作は、図４（ｂ）に示されるように、圧縮機２７から吐出された冷媒が、第２熱交換器３２で放熱して凝縮し、その後に電動膨張弁２８へ送られて減圧される。減圧された冷媒は、第１熱交換器３１で吸熱して蒸発し、その後に圧縮機２７へ吸入されて圧縮され、再び吐出される。したがって、第２の冷凍サイクル動作では、第１熱交換器３１が蒸発器として機能し、第２熱交換器３２が凝縮器として機能する。
【００７３】
このとき、図５及び図７に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第２熱交換器３２においては、吸着剤に吸着されていた水分が冷媒の熱によって脱離し、室内空気ＲＡに取り込まれる。これにより、第２熱交換器３２の吸着剤が再生されるとともに、室内空気ＲＡが加湿され、加湿後の空気ＥＡは排気吹出口５２から室外に排出される。また、蒸発器としての第１熱交換器３１においては、冷媒の吸熱によって室外空気ＯＡに含まれる水分が吸着剤に吸着（回収）され、室外空気ＯＡが除湿される。除湿後の空気ＳＡは、給気吹出口５４から室内に供給される。
【００７４】
（加湿運転の説明）
次に、加湿運転について説明する。図４（ａ）に示される第１冷凍サイクル動作では、第１熱交換器３１が凝縮器として機能し、第２熱交換器３２が蒸発器として機能する。このとき、図５及び図７に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第１熱交換器３１においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第２熱交換器３２においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００７５】
図４（ｂ）に示される第２の冷凍サイクル動作では、第１熱交換器３１が蒸発器として機能し、第２熱交換器３２が凝縮器として機能する。このとき、図６及び図８に示されるように、外気取入口５１から取り入れられた室外空気ＯＡは第２熱交換器３２を通過し、熱交換後の空気ＳＡが給気吹出口５４から排出される。内気取入口５３から取り入れられた室内空気ＲＡは第１熱交換器３１を通過し、熱交換後の空気ＥＡが排気吹出口５２から排出される。具体的に、凝縮器としての第２熱交換器３２においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第１熱交換器３１においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００７６】
図１０は、本発明の他の実施の形態に係る調湿装置における熱交換器室の断面説明図である。この実施の形態では、熱交換器を通過する空気の風速を均一にする均一化手段として、前述した実施の形態における傾斜した区画壁に代えて、熱交換器室内に吹き出される空気流の向きを変える邪魔板９１が採用されている。この邪魔板９１は、図１０において、紙面貫通方向に延びる帯板形状を呈しており、ドレンパン９０の側壁９０ａの上端に設けられている。本実施の形態では、邪魔板９１はドレンパン９０の側壁９０ａと一体に形成されている。邪魔板９１は、当該邪魔板９１の上縁９１ａが熱交換器３１に近づくように傾斜している。これにより、通気口８１を通って熱交換器室５７内に吹き出される空気流を上方に向くように変えることができ、前記熱交換器３１に対して均一に空気を吹き付けることができる。また、邪魔板９１は、熱交換器３１の下方に設けられるドレンパン９０の側壁９０ａを利用して設けることができるので、装置の構成を簡略化することができる。
前記邪魔板９１の水辺面に対する傾斜角βは、本発明において特に限定されるものではないが、熱交換器３１の水平面に対する傾斜角をθとしたときに、６０°−θ≦β≦９０°−θであることが好ましい。この場合、熱交換器の空気通過面に対して空気をより均一な速度で吹き付けることができる。
【００７７】
また、熱交換器３１が上下２段に分かれた分割型熱交換器である場合、前記邪魔板９１は、当該邪魔板９１の表面を延長した面が前記分割型熱交換器の上部熱交換器の上下方向の略中心を通るように傾斜していることが好ましい。この場合、空気を熱交換器の中心付近に吹き付けることができるので、熱交換器を通過する空気の風速を均一にすることができる。
また、前記邪魔板９１の上端９１ａの上下方向の位置と、ダンパ４１の上下方向中心位置とが略一致していることが好ましい。この場合、ダンパ４１から吹き出される空気を効果的に邪魔板９１にあてて進路変更させることができ、熱交換器３１の空気通過面３１ａに対して空気をより均一な速度で吹き付けることができる。
【００７８】
〔その他の変形例〕
本発明は、前述した実施の形態に限定されるものではなく、特許請求の範囲に記載された発明の範囲内において適宜変更することができる。
例えば、前述した実施の形態では、空気の風速を均一化する手段として、傾斜した区画壁または邪魔板を用いているが、これらを併用することも可能である。
【００７９】
また、前述した実施の形態では、邪魔板をドレンパンと一体に形成しているが、当該ドレンパンを別体とすることも可能である。
また、前述した実施の形態では、邪魔板は平坦な面を有する帯板形状を呈していたが、曲面を有する板材で構成することも可能である。
【符号の説明】
【００８０】
１０      ：調湿装置
１１      ：ケーシング
１２      ：冷媒回路
１３      ：空気流制御機構
３１      ：第１熱交換器
３２      ：第２熱交換器
３４      ：第１ファン
３５      ：第２ファン
５１      ：外気取入口
５２      ：排気吹出口
５３      ：内気取入口
５４      ：給気吹出口
５７      ：第１熱交換器室
５８      ：第２熱交換器室
６３      ：第３区画壁
６３ａ    ：壁部
６４      ：第４区画壁
６４ａ    ：壁部
９０      ：ドレンパン
９０ａ    ：側壁
９１      ：邪魔板
９１ａ    ：邪魔板の上端
【図１】
2014119180.tif 000003
【図２】
2014119180.tif 000004
【図３】
2014119180.tif 000005
【図４】
2014119180.tif 000006
【図５】
2014119180.tif 000007
【図６】
2014119180.tif 000008
【図７】
2014119180.tif 000009
【図８】
2014119180.tif 000010
【図９】
2014119180.tif 000011
【図１０】
2014119180.tif 000012
【図１１】
2014119180.tif 000013
【図１２】
2014119180.tif 000014